(57)【要約】 【課題】  自立型のハンガー装置にハンガーなどを使用して衣類を掛けることで、着用時に簡単に取り外すことができ、かつ加熱されたアイロンを置くためのアイロン置き台の高さを調整可能にすることで、アイロン作業時のアイロン移動の負担を低減することのできる自立型ハンガー装置の提供。【解決手段】  アイロン台２０に併設して使用される自立型ハンガー装置１であって、床面Ｆ上に設置される基台２、３と、基台から床面に対して略垂直に設けられる支柱４と、使用者が起立して衣類を掛ける高さ位置となるように支柱に設けられる衣類支持部材８と、支柱において上下方向に移動可能かつ所望の高さ位置に固定可能に設けられるとともにアイロン１０を置くための載置面を有するアイロン置き台５から構成される。【選択図】  図１
2006115912.tif 000002
【特許請求の範囲】
【請求項１】
アイロン台に併設して使用される自立型ハンガー装置であって、
床面上に設置される基台と、
前記基台から前記床面に対して略垂直に設けられる支柱と、
使用者が起立して衣類を掛ける高さ位置となるように前記支柱に設けられる衣類支持部材と、
前記支柱において上下方向に移動可能かつ所望の高さ位置に固定可能に設けられるとともにアイロンを置くための載置面を有するアイロン置き台と、を備えることを特徴とする自立型ハンガー装置。
【請求項２】
前記アイロン置き台は、前記支柱に対して回転可能に設けるためのアイロン支持部を、さらに備えることを特徴とする請求項１に記載の自立型ハンガー装置。
【請求項３】
前記アイロン台の折りたたみ式脚部を折りたたんだ状態で立てかける形状のアイロン台保持部を前記基台に、さらに形成することを特徴とする請求項１または２のいずれかに記載の自立型ハンガー装置。
【請求項４】
前記基台は、前記支柱の下端を挿入して保持する管部材と、前記管部材の外周面において等間隔で固定されるとともに、前記床面に当接する形状に曲げられる３本の脚部材と、から構成され、
また、前記衣類支持部材は、その途中部位において下方に向かう１つ以上の凹部を形成した棒部材であり、水平面に対する取り付け角度が約５度から約２０度の範囲となるように、前記支柱周りに等間隔で３本以上が固定されることを特徴とする請求項１乃至３のいずれか１項に記載の自立型ハンガー装置。
【請求項５】
前記棒部材を、前記支柱に対して回転可能に設けるために前記支柱の上端において回転可能に設けられる副支柱を、さらに備えることを特徴とする請求項４に記載の自立型ハンガー装置。
【請求項６】
前記基台は、金属材料を含む十分な重量を有する材料から略半円形状に形成され、前記衣類支持部材は、棒部材から略半円形状に形成されるとともに、前記基台と前記衣類支持部材のそれぞれが前記支柱の同じ側に固定されることで衣類の荷重を支えることを特徴とする請求項１乃至３のいずれか１項に記載の自立型ハンガー装置。
【請求項７】
前記棒部材の外側において、カーテン案内用の別の棒部材を設けたことを特徴とする請求項６に記載の自立型ハンガー装置。
【発明の詳細な説明】
【技術分野】
【０００１】
本発明は、自立型ハンガー装置に係り、特に高さ調整可能なアイロン台に併設して使用されるアイロン置き台を設けた自立型ハンガー装置に関するものである。
【背景技術】
【０００２】
本願出願人は、２次曲面部分をアイロン作用面とすることで通常のアイロン台として用できるとともに、３次元曲面部分を有する衣類、帽子、下着などの形状を損なうことなくアイロン掛けできるようにするために、アイロン作用面から連続形成される頭部を３次元曲面で形成した人体型のアイロン台を提案している。
【０００３】
この人体型のアイロン台によれば高さ調整可能な折りたたみ式の脚部が設けられており、使用時において使用者が椅子などに着座した状態でアイロン掛けを行うために最適となる高さ位置にセットし、未使用時にはこの脚部を折りたたんだ状態にして壁面に寄りかかるように立てかけることで、占有面積を極力少なくした状態で収納できるように構成されている。さらに、アイロン台の基部を樹脂ブロー成型品とすることにより軽量化を図り、女性が簡単にセットできるように配慮されている（特許文献１）。
【０００４】
また、高熱になったアイロンは、アイロン作用面の高さに略等しいテーブル上に置くなどして使用するようにしている。
【０００５】
一方、アイロン掛けが終了後の衣類は、型崩れを防止するためにハンガーに掛けてから箪笥などに収めることになるが、その前に一時的に和室の鴨居、壁面に固定されたフックまたはカーテンレールなどに掛ける場合が多い。また、近年の工法による一戸立て住宅または集合住宅あるいは高層マンションによれば、耐火壁で囲まれる洋室を設ける場合が圧倒的に多く、しかも椅子を使用した生活に変化している。しかし、新築住宅などの場合には耐火壁にフックを固定することは、ドリル加工で壁に孔を明けざるを得ないので躊躇われる。また、マンションなどの場合には隣人への騒音が問題になる。  
そこで、自立出来るハンガー装置を使用すればアイロン掛け後の衣類をハンガーに掛けてから一時的または恒久的に吊るしておくことができる。このような自立型のハンガー装置としては、例えば衣類支持部材を支柱周りに回転可能に設けることで、使用時の利便性を向上させた構成を有する装置について提案されている（特許文献２）。
【特許文献１】特開２００４−２３６８２３号公報。
【特許文献２】特開平７−０５１１５１号公報。
【発明の開示】
【発明が解決しようとする課題】
【０００６】
上記の特許文献１の提案による人体型のアイロン台によれば、使用者の身長にあわせてアイロン作用面の高さ位置を約６１０〜８５０ｃｍの範囲で数段階で高さ調整できるように構成されている。このため、例えば使用者が食堂の椅子に腰掛けたままでアイロンかけ作業を行うときに、最適な高さ位置にセットできることになる。しかし、加熱されたアイロンを置くためのテーブルの高さは調整できないのでアイロンを上下方向に移動せざるを得ないので、作業者にとって負担となる場合が多い。
【０００７】
また、アイロンかけ終了後の衣類を、上記の自立型ハンガー装置にハンガーなどを使用して恒久的に掛けておけば、着用時に簡単に取り外すことができるので便利となる。
【０００８】
したがって、本発明は上記の問題点に鑑みて成されたものであり、自立型ハンガー装置にハンガーなどを使用して掛けることで、着用時に簡単に取り外すことができ、かつ加熱されたアイロンを置くためのアイロン置き台の高さを調整可能にすることでアイロンの移動時の負担を低減することのできる自立型ハンガー装置の提供を目的としている。
【０００９】
くわえて、アイロン台の未使用時に脚部を折りたたんだ状態にして立てかけることで、占有面積を極力少なくした状態で収納することができる自立型ハンガー装置の提供を目的としている。
【課題を解決するための手段】
【００１０】
上述した課題を解決し、目的を達成するために、本発明によれば、アイロン台に併設して使用される自立型ハンガー装置（１）であって、床面上に設置される基台（２，３）と、前記基台から前記床面に対して略垂直に設けられる支柱（４）と、使用者が起立して衣類を掛ける高さ位置となるように前記支柱に設けられる衣類支持部材（８）と、前記支柱において上下方向に移動可能かつ所望の高さ位置に固定可能に設けられるとともにアイロン（１０）を置くための載置面を有するアイロン置き台（５）とを備えることを特徴としている。
【００１１】
また、前記アイロン置き台は、前記支柱に対して回転可能に設けるためのアイロン支持部（１５）を、さらに備えることを特徴としている。
【００１２】
また、前記アイロン台の折りたたみ式脚部を折りたたんだ状態で立てかける形状のアイロン台保持部を前記基台に、さらに形成することを特徴としている。
【００１３】
また、前記基台は、前記支柱の下端を挿入して保持する管部材と、前記管部材の外周面において等間隔で固定されるとともに、前記床面に当接する形状に曲げられる３本の脚部材と、から構成され、前記衣類支持部材は、その途中部位において下方に向かう１つ以上の凹部を形成した棒部材であり、水平面に対する取り付け角度が約５度から約２０度の範囲となるように、前記支柱周りに等間隔で３本以上が固定されることを特徴としている。  また、前記棒部材を、前記支柱に対して回転可能に設けるために前記支柱の上端において回転可能に設けられる副支柱を、さらに備えることを特徴としている。
【００１４】
また、前記基台は、金属材料を含む十分な重量を有する材料から略半円形状に形成され、前記衣類支持部材は、棒部材から略半円形状に形成されるとともに、前記基台と前記衣類支持部材のそれぞれが前記支柱の同じ側に固定されて荷重を支えることを特徴としている。
【００１５】
また、前記棒部材の外側において、カーテン案内用の別の棒部材（１０９）を設けたことを特徴としている。
【発明の効果】
【００１６】
本発明によれば、自立型のハンガー装置にハンガーなどを使用して衣類を掛けることで、着用時に簡単に取り外すことができ、かつ加熱されたアイロンを置くためのアイロン置き台の高さを調整可能にすることで、アイロン作業時のアイロン移動の負担を低減することのできる自立型ハンガー装置を提供できる。
【発明を実施するための最良の形態】
【００１７】
以下に、本発明の好適な一実施形態について添付の各図面を参照して述べる。
【００１８】
ここで、本発明は様々な修正と変更が可能であり、その内の特定の事例が図面に図示されており、以下に詳細に記述されることになるが、これらに限定されず請求の範囲に規定された範囲で種々の構成が可能であることは言うまでもなく、後述するデザイン以外にも全てのアイロン置き台に適用可能である。また、後述する高さ調整可能な人体型のアイロン台とともに使用する場合に限らず、高さが一定な通常のアイロン台とともに使用しても良いことは言うまでもない。
【００１９】
先ず、図１は本発明の一実施形態である自立型ハンガー装置１を高さ調整可能な折りたたみ式の脚部を設けた人体型のアイロン台２０の隣りに設け、使用者が椅子に腰掛けた状態でアイロンかけ作業を行っている様子を示した正面図である。
【００２０】
本図において、人体型のアイロン台２０は、２次曲面部分をアイロン作用面とするために樹脂をブロー成型した基部２１を備えており、この基部２１の上に不図示のフェルトとカバーを被せることで上面を通常のアイロン台として使用できるとともに、３次元曲面部分を有する頭部２１ａと、底部２１ｂとが図示のようにアイロン作用面からさらに連続形成されている。これらの頭部２１ａと底部２１ｂを使用して衣類、帽子、下着、ズボンの腰部分などの３次元形状を損なうことなくアイロン掛けを行えるようにしている。
【００２１】
このアイロン台２０の基部２１の底面には高さ調整可能な折りたたみ式の脚部が設けられており、使用時において使用者が椅子などに着座した状態で図示のようにアイロン掛けを行うために最適となる高さ位置にセットし、未使用時にはこの脚部を折りたたんだ状態にできるように構成されている。
【００２２】
この脚部の構成としては種々の形式のものがあるが、図示のように支点２６でＸ型にクロスするそれぞれ２本の脚体２３、２４（図示では手前側のみ図示）を設けておき、先端に床面Ｆに接するグロメット２７を設け、さらに一方の脚体２４の上端を基部２１において軸受け部２５で回動自在に軸支し、他方の脚体２３の上端から紙面奥側に延びる部材２３ａを設け、複数の溝部２２ａを設け基部２１に固定される支持部材２２に対して部材２３ａを係止するように構成された脚部構成によれば、アイロン掛けの際に発生する力を均等に受け止めることができるので望ましい。
【００２３】
この脚部によれば着座姿勢で使用するために部材２３ａを各溝部２２ａ内にセットすることで６１０、６８０、７３０、７８０、８２０、８５０ｃｍの高さ位置に調整できるので、使用者の身長の大小に関係なく最適な高さ位置Ｈ１に調整できることになる。さらに、使用後には脚部を折りたたみ壁面に寄りかかるように立てかけることで、占有面積を極力少なくした状態で収納できる。また、アイロン台２０の基部２１を樹脂ブロー成型品とすることにより軽量化が図られているので、非力な女性でも簡単にセットできることとなる。
【００２４】
このアイロン台２０に併設して床面Ｆ上に自立型ハンガー装置１が設置される。この自立型ハンガー装置１は、基台と、直径が２４ｍｍの鉄パイプ製の支柱４と、この支柱４において上下方向に移動可能かつ所望の高さ位置に固定可能に設けられ、加熱したアイロン１０を一時的に置くために鉄パイプから組立られるアイロン置き台５と、使用者が起立して衣類を掛ける高さ位置Ｈである例えば１６０ｃｍの高さにおいて支柱４の外周面に固定される３本の衣類支持部材８、８、８とから構成されている。図示の構成では、３本の衣類支持部材は支柱４の上端において回転自在に設けられた副支柱７の外周面に固定されているが、支柱４の外周面上に直接固定しても良い。
【００２５】
基台は、支柱４の下端を挿入および固定する管部材２と、この管部材２の外周面において１２０度の等間隔で溶接されて固定され、床面Ｆに当接する形状に図示のように曲げ加工される直径が２０ｍｍの鉄パイプの３本分の脚部材３とから構成されている。各脚部材３の端部にはグロメット２７が被される。
【００２６】
図示のようにアイロン台２０のアイロン作用面と略同じ高さ位置Ｈ２に調整可能なアイロン置き台５が支柱に対して図中の破線図示と実線図示の間で回転可能に設けられている。このアイロン置き台５の下方には、支柱４に挿通されるブッシュ１２が設けられておりこのブッシュ１２とアイロン置き台５との間にアイロン１０の重量を支えるアイロン台支持部１５が形成されている。このブッシュ１２には回転操作されるノブ６が螺合されており、このノブ６を緩める方向に回転することでアイロン置き台５を上下方向に移動できるようになり、所望の高さ位置でノブ６を締め付けることでアイロン置き台５を所望の高さ位置に固定できる。
【００２７】
一方、上記の衣類支持部材８、８、８は、図示のようにその途中部位において下方に向かう３箇所の凹部８ａ、８ａ、８ａと取り付け部８ｂと端部８ｃとをプレス加工した直径１０ｍｍ、全長約３０ｃｍの鉄パイプ製の棒部材であり、図示のように水平面に対する取り付け角度が約５度から約２０度の範囲となるように、副支柱７周りに等間隔で３本分が固定されている。これらの凹部８ａに対してハンガーＫを吊るすことでアイロンかけ終了後の多くの衣類を吊るしておくことができる。
【００２８】
また、端部８ｃは上方に曲げ加工されているので帽子などを掛けることができる。さらに取り付け部８ｂは副支柱７の外周面に直に溶接固定しても良いが、不図示の袋状部材に対して挿入して回転できるようにしてもよい。
【００２９】
さらに、上記のように各衣類支持部材８、８、８は矢印方向に回転可能であるのでアイロンかけ終了後の衣類を順次吊り下げることができるとともに、起立した位置に衣類支持部材８、８、８が位置しているのでアイロンかけ作業の邪魔にならないことになる。
【００３０】
以上説明したように、自立型のハンガー装置１にハンガーＫなどを使用してアイロンかけ後の衣類（破線図示）を恒久的に掛けておくことで、着用時に簡単に取り外すことができるので箪笥が不要となる。また加熱されたアイロン１０を置くためのアイロン置き台５の高さを調整可能にできるので、アイロン作業時においてアイロン作用面に衣類を広げるためにアイロン１０をアイロン置き台５上に一時的に載置する際の負担を低減することができる。
【００３１】
図２（ａ）は、自立型ハンガー装置１の立体分解図、図２（ｂ）はブッシュ１２の断面図である。図２（ａ）、（ｂ）において、既に説明済みの構成部品については同様の符号を附して説明を割愛すると、この自立型ハンガー装置１は、４つの部品に分解できる。このようにして例えば自立型ハンガー装置１をインターネットで販売し、ダンボール箱に梱包された部品をユーザーが組み立てることができるようにしている。
【００３２】
すなわち、支柱４の上端４ｂを副支柱７に挿入し、支柱４に対してアイロン置き台５のブッシュ１２を挿入し、支柱４の下端４ｃを管部材２に挿入しノブ１１で固定して完成することができる。
【００３３】
このアイロン置き台５のブッシュ１２には雌ネジ孔部１２ａが形成されており、この雌ネジ孔部１２ａに対してノブ６の雄ネジ部６ａを螺合することで端部６ｃが支柱４の溝部４ａに潜入する状態にできる。この結果、ブッシュ１２は上下方向には移動されず、回転できるようになる。
【００３４】
このため、図１で破線で示した位置にアイロン置き台５を回動できることとなる。また、アイロン置き台５は、小径の鉄パイプ１３を図示のように曲げ加工し、アイロンの載置面となる部分に鉄製の棒部材１４を複数本図示のように固定して完成され、さらに上記のアイロン台支持部材１５によりブッシュ１２の側面に固定される。図示の形状によれば、方向性がないのでアイロン１０をいずれの方向からでも載せることが可能になるので、左利きの人でも使用可能となる。
【００３５】
続いて、図３は別実施形態の自立型ハンガー装置１の外観斜視図であって、図示のように折りたたんだ状態の脚部を備えたアイロン台２０を縦に立てかけるために基台に形成されるアイロン台保持部を設けた様子を示した図である。
【００３６】
本図において、既に説明済みの構成部品については同様の符号を附して説明を割愛すると、手前側の２本の脚部材３、３の間にはアイロン台２０の底部２１ｂが潜入する幅寸法を設けるようにして棒部材３０、３０が溶接などで固定されている。また、棒部材３０、３０間には別の棒部材３１が直交するように固定されている。
【００３７】
以上の構成によればアイロン台の未使用時に脚部を折りたたんだ状態にして立てかけることで、占有面積を極力少なくした状態で収納することが可能となる。また、支柱４において上下方向に移動可能に設けられたブッシュ９１の側面にリング部材９０を設けておき、このリング部材９０をアイロン台２０の頭部に引っ掛けることで、前側に倒れることを防止している。さらに、上記の３本分の脚部材３には、ストッパー（不図示）付きのキャスター３ｃが固定されており、自立型ハンガー装置１を簡単に移動した後に、アイロン作業位置で固定できるように構成されている。
【００３８】
最後に、図４は、第２の実施形態の自立型ハンガー装置１の外観斜視図であって、折りたたんだ状態の二点鎖線のアイロン台２０を立てかけるために基台１０３に形成されるアイロン台保持部１３０を設けた様子を示した外観斜視図である。
【００３９】
本図において、既に説明済みの構成部品については同様の符号を附して説明を割愛すると、基台１０３は、金属材料を含む十分な重量を有する材料から略半円形状に形成されている。また、衣類支持部材となる棒部材１１１が支柱４に直交して固定されており、さらに図示のように略半円形状に形成される棒部材１０８が補強部材１１０、１１０、１１０により支えられて固定されている。このように、基台１０３と棒部材のそれぞれが支柱４の同じ側に固定されることで衣類の荷重を支えるように構成されている。
【００４０】
また、カーテン案内部２０１を案内する別の棒部材１０９がさらに設けられており、衣類とアイロン台２０の収納状態を隠すことができるように構成されている。
【００４１】
以上の自立型ハンガー装置１によれば、部屋の美観を損なうことなく配置できることとなるので、高級家具として使用可能となる。
【００４２】
ちなみに、上記の構成の着座して使用するアイロン台２０の購買層は３０から４０代の主婦が多く、特にマンション住民が多いことが判明している。また、和室などで正座姿勢でアイロンかけを行いたい場合には、アイロン置き台５を最下位置にセットし、アイロン台を折りたたんだ状態で畳上などに置けばアイロンかけすることもできる。
【図面の簡単な説明】
【００４３】
【図１】本発明の一実施形態である自立型ハンガー装置１をアイロン台２０とともに示した正面図である。
【図２】（ａ）は自立型ハンガー装置１の立体分解図、（ｂ）はブッシュ１２の断面図である。
【図３】別実施形態の自立型ハンガー装置１の外観斜視図であって、折りたたんだ状態のアイロン台２０を立てかけるために基台に形成されるアイロン台保持部を設けた様子を示した図である。
【図４】第２の実施形態の自立型ハンガー装置１の外観斜視図である。
【符号の説明】
【００４４】
１ 自立型ハンガー装置
２  管部材（基台）
３  脚部材（基台）
４  支柱
５  アイロン置き台
６  ノブ
７  副支柱
８  棒部材（衣類支持部材）
１０  アイロン
２０  アイロン台
【図１】
2006115912.tif 000003
【図２】
2006115912.tif 000004
【図３】
2006115912.tif 000005
【図４】
2006115912.tif 000006